(57)【要約】【課題】循環ポンプをドレンを排出する用途にも利用し、独自の排水用配管を利用してドレンを排水することが可能であり、且つ戻り流路と往き流路の双方から浴槽に湯水を供給することができる風呂装置を提案する。【解決手段】追い焚き循環流路３０の循環ポンプ３６の前後に三方弁４０、４１が設けられている。ドレンタンク８と、三方弁４０の第３ポート６２とがドレン吐出路４８によって接続されている。ドレン吐出路４８にドレン往き部逆止弁４７が設けられている。ドレン往き部逆止弁４７と、ドレン導入用分岐部４５との間がさらに分岐され、副排水路５０が設けられている。副排水路５０の末端は、排水口１５に接続されている。副排水路５０には、排水部逆止弁５１が設けられている。三方弁４１に主排水路５２が設けられている。主排水路５２の末端は、排水口１５に接続されている。【選択図】図２
2015021707.tif 000002
【特許請求の範囲】
【請求項１】
燃焼ガスを発生させるバーナと、燃焼ガスの潜熱を回収可能であって湯水を加熱し表面にドレンが発生する熱交換器と、循環ポンプとを有し、
浴槽に接続されて前記熱交換器及び循環ポンプと浴槽とを環状につなぐ追い焚き循環流路を備え、浴槽内の湯水を追い焚き循環流路に導入し熱交換器を経由して浴槽に送る追い焚き機能を備え、さらにドレンを溜め置くドレンタンクと、排水口が設けられた風呂装置において、
前記追い焚き循環流路であって循環ポンプに対して下流側の位置に洗浄水排出用分岐部が設けられ、前記追い焚き循環流路であって循環ポンプに対して上流側の位置にドレン導入用分岐部が設けられ、前記追い焚き循環流路であってドレン導入用分岐部と循環ポンプとの間に洗浄水導入用分岐部が設けられ、
前記洗浄水排出用分岐部と排水口とを接続する主排水路があり、
前記ドレンタンクとドレン導入用分岐部とを接続するドレン吐出路があり、当該ドレン吐出路にはドレン導入用分岐部に向かう通水を許しその逆を阻止するドレン往き部逆止弁が設けられ、ドレン吐出路であって前記ドレン往き側逆止弁とドレン導入用分岐部との間がさらに分岐されて前記排水口に連通する副排水路が設けられ、前記副排水路には前記排水口に向かう通水を許しその逆を阻止する排水部逆止弁が設けられ、
洗浄水導入用分岐部には給水管が接続され、
前記追い焚き循環流路を連通させ、追い焚き循環流路と主排水路への連通を遮断する状態と、前記追い焚き循環流路を遮断して、循環ポンプと主排水路との連通を許容する主排水路開放状態とを切り換える主排水路切り換え手段と、
前記追い焚き循環流路を連通させ、追い焚き循環流路とドレン吐出路との通水を遮断する状態と、前記追い焚き循環流路を遮断して、ドレン吐出路と循環ポンプとの連通を許容するドレン導入状態とを切り換えるドレン路切り換え手段とを有し、
前記主排水路切り換え手段を主排水路開放状態にすると共に、前記ドレン路切り換え手段をドレン導入状態にし、循環ポンプを運転してドレンタンク内のドレンを主排出路から外部に排出するドレン排出運転が可能であり、
さらに主排水路切り換え手段を主排水路開放状態にし、ドレン路切り換え手段をドレン導入状態にした状態で給水管から追い焚き循環流路内に通水し、主排水路及び副排水路から水を排出する配管洗浄運転が可能であることを特徴とする風呂装置。
【請求項２】
ドレンタンク内のドレンが一定量以上となったことを条件として、ドレン排出運転が実行され、さらに引き続いて配管洗浄運転が実行されることを特徴とする請求項１に記載の風呂装置。
【請求項３】
洗浄水排出用分岐部が、循環ポンプと熱交換器の間に設けられていることを特徴とする請求項１又は２に記載の風呂装置。
【発明の詳細な説明】
【技術分野】
【０００１】
本発明は、潜熱回収型の燃焼装置を備えた風呂装置に関するものである。
【背景技術】
【０００２】
給湯及び追い焚きを行う機能を備えた風呂装置が普及している。また風呂装置に内蔵される燃焼装置として、潜熱回収型の燃焼装置がある。潜熱回収型の燃焼装置は、燃焼ガスに含まれる顕熱を回収するだけでなく、潜熱をも回収することができるものである。
ここで、潜熱とは、燃焼ガス中に含まれる水蒸気の凝縮熱である。従って、潜熱を回収すると燃焼ガス中の水蒸気が凝縮し、ドレンが発生する。このドレンは酸性を帯びている。
そのため潜熱回収型の燃焼装置では、ドレンを中和するための中和器が設けられている。中和器内で中和されたドレンは中性に近く、毒性が低いので、そのまま外部に排出しても差し支えない。
【０００３】
ドレンを排出するための構造には、自然落下を利用するものと、ポンプを備えていて強制排出する構造のものがある。
即ち、風呂装置の近傍に適当な排水施設がある場合には、自然落下を利用して排水施設にドレンを廃棄すればよい。
しかしながら、風呂装置の近傍に適当な排水施設が無い場合には、ポンプを利用して排水施設がある場所までドレンを移送する必要がある。
【０００４】
ここでポンプを利用してドレンを排水する構造として、排水専用のポンプを備えたものと、風呂循環ポンプを兼用してドレンの排出を行うものがある。
排水専用のポンプを設ける構成は、コストが嵩むという不利益があり、風呂循環ポンプを兼用する構成は、コスト面で有利である。
【０００５】
またドレンを移送する管路は、追い焚き循環路用の配管を利用するものと、独自の排水用配管を持つものがある。
追い焚き循環路用の配管を利用する構造は、コスト面で有利であるが、浴槽水にドレン水が混入する懸念がある。前記した様に、中和後のドレンは、毒性が低く、浴槽水に混じったとしても実害は無いが、ドレン水が混入することを嫌う使用者が多いのも事実である。
そのためドレンは、独自の排水用配管を利用して排水することが望ましい。
【０００６】
以上まとめると、風呂循環ポンプを利用してドレンを排出し、且つ独自の排水用配管を利用してドレンを排水する構造の風呂装置が推奨される。
この構造を採用した風呂装置が特許文献１に開示されている。
特許文献１に開示された風呂装置１００は、図７の通りである。
【０００７】
特許文献１に開示された風呂装置１００では、追い焚き循環流路１０１を持っている。追い焚き循環流路１０１は、浴槽１０２から風呂装置１００に戻った湯水を熱交換器１０３に導入する戻り流路１０５と、熱交換器１０３から浴槽１０２に湯を送る往き流路１０６によって構成されている。
そして戻り流路１０５に電磁弁１０７、三方弁１０８、及び循環ポンプ１１０が順次接続されている。
また三方弁１０８の残るポートに、ドレンタンク１１２が接続されている。
さらに戻り流路１０５であって三方弁１０８の上流側に給水管１１５が接続されている。
【０００８】
また追い焚き循環流路１０１の往き流路１０６に、三方弁１１６が設けられている。三方弁の一つのポートには、専用の排水用配管１２０が接続されている。
【０００９】
特許文献１に開示された風呂装置１００では、浴槽１０２の湯水を追い焚きする場合、三方弁１０８を動作してドレンタンク１１２側が閉塞する状態とし、三方弁１１６についても排水用配管１２０側を閉塞する。
また電磁弁１０７を開き、一連の追い焚き循環流路１０１を開く。この状態で循環ポンプ１１０を起動し、浴槽１０２内の湯水を追い焚き循環流路１０１に導入し、熱交換器１０３で湯水を加熱して浴槽１０２に送る。
【００１０】
また浴槽１０２内に湯を落とし込む場合には、三方弁１０８、１１６を前記と同じ状態とし、給水管１１５に湯水を流して追い焚き循環流路１０１に湯水を導入する。導入された湯水の一部は、追い焚き循環流路１０１の戻り流路１０５から浴槽１０２に導入される。また湯水の残部は、追い焚き循環流路１０１の往き流路１０６から浴槽１０２に導入される。即ち、特許文献１に開示された風呂装置１００では、浴槽１０２内に湯を落とし込む際に、戻り流路１０５と往き流路１０６の双方から浴槽１０２に湯水が供給される。
【００１１】
特許文献１に開示された風呂装置１００では、ドレンを排出する際には、三方弁１０８を動作させてドレンタンク１１２側と、循環ポンプ１１０間を連通させ、浴槽１０２側を閉じる。また三方弁１１６を動作させて、熱交換器１０３と、排水用配管１２０側の間を連通させ、浴槽１０２側を閉じる。
この状態で循環ポンプ１１０を起動し、ドレンタンク１１２からドレンを吸引し、循環ポンプ１１０、熱交換器１０３、往き流路１０６の一部、三方弁１１６を経由し、排水用配管１２０からドレンを排出する。
【００１２】
ドレンの排出を終えると、ドレンが通過した配管を洗浄する。
即ち三方弁１０８、１１６は前記した開閉状態と同じ状態を維持し、給水管１１５に湯水を流して前記したルートに通水し、配管内を洗浄する。
【先行技術文献】
【特許文献】
【００１３】
【特許文献１】特開２０１２−９３０５６号公報
【発明の概要】
【発明が解決しようとする課題】
【００１４】
特許文献１に開示された風呂装置１００は、理想的な機能を備えている。即ち、風呂循環ポンプをドレンを排出する用途にも利用するので、専用のポンプが不要である。また独自の排水用配管を利用してドレンを排水するので、使用者に不快感や不信感を与えない。さらに、浴槽１０２に湯を落とし込む際、戻り流路１０５と往き流路１０６の双方から浴槽１０２に湯水が供給されるから、落とし込みに要する時間が短い。
【００１５】
しかしながら、特許文献１に開示された風呂装置１００は、戻り流路１０５に電磁弁１０７が設けられており、製造コストが高いという不満がある。
即ち特許文献１では、配管を洗浄する際に洗浄水が浴槽１０２側に流れ込むのを防ぐ必要から戻り流路１０５に電磁弁１０７が設けられている。特許文献１の配管回路を採用する限り、この電磁弁１０７は、必須であり、逆止弁で置き換えることはできない。
【００１６】
そこで本発明は、従来技術の上記した問題点に注目し、性能を落とすことなく電磁弁１０７を省略することができる風呂装置を開発することを課題とする。即ち本発明は、風呂循環ポンプをドレンを排出する用途にも利用し、独自の排水用配管を利用してドレンを排水することが可能であり、且つ戻り流路と往き流路の双方から浴槽に湯水が供給することができる風呂装置を提案するものである。
【課題を解決するための手段】
【００１７】
上記した課題を解決するための請求項１に記載の発明は、燃焼ガスを発生させるバーナと、燃焼ガスの潜熱を回収可能であって湯水を加熱し表面にドレンが発生する熱交換器と、循環ポンプとを有し、浴槽に接続されて前記熱交換器及び循環ポンプと浴槽とを環状につなぐ追い焚き循環流路を備え、浴槽内の湯水を追い焚き循環流路に導入し熱交換器を経由して浴槽に送る追い焚き機能を備え、さらにドレンを溜め置くドレンタンクと、排水口が設けられた風呂装置において、前記追い焚き循環流路であって循環ポンプに対して下流側の位置に洗浄水排出用分岐部が設けられ、前記追い焚き循環流路であって循環ポンプに対して上流側の位置にドレン導入用分岐部が設けられ、前記追い焚き循環流路であってドレン導入用分岐部と循環ポンプとの間に洗浄水導入用分岐部が設けられ、前記洗浄水排出用分岐部と排水口とを接続する主排水路があり、前記ドレンタンクとドレン導入用分岐部とを接続するドレン吐出路があり、当該ドレン吐出路にはドレン導入用分岐部に向かう通水を許しその逆を阻止するドレン往き部逆止弁が設けられ、ドレン吐出路であって前記ドレン往き側逆止弁とドレン導入用分岐部との間がさらに分岐されて前記排水口に連通する副排水路が設けられ、前記副排水路には前記排水口に向かう通水を許しその逆を阻止する排水部逆止弁が設けられ、洗浄水導入用分岐部には給水管が接続され、前記追い焚き循環流路を連通させ、追い焚き循環流路と主排水路への連通を遮断する状態と、前記追い焚き循環流路を遮断して、循環ポンプと主排水路との連通を許容する主排水路開放状態とを切り換える主排水路切り換え手段と、前記追い焚き循環流路を連通させ、追い焚き循環流路とドレン吐出路との通水を遮断する状態と、前記追い焚き循環流路を遮断して、ドレン吐出路と循環ポンプとの連通を許容するドレン導入状態とを切り換えるドレン路切り換え手段とを有し、前記主排水路切り換え手段を主排水路開放状態にすると共に、前記ドレン路切り換え手段をドレン導入状態にし、循環ポンプを運転してドレンタンク内のドレンを主排出路から外部に排出するドレン排出運転が可能であり、さらに主排水路切り換え手段を主排水路開放状態にし、ドレン路切り換え手段をドレン導入状態にした状態で給水管から追い焚き循環流路内に通水し、主排水路及び副排水路から水を排出する配管洗浄運転が可能であることを特徴とする風呂装置である。
【００１８】
本発明の風呂装置では、追い焚きに使用される循環ポンプを備え、当該循環ポンプを利用してドレンの排水を行う。またドレン及び洗浄水は排水口から排出されるから、浴槽に至る流路から独立した流路を利用してドレンを排出することができる。
さらに湯の落とし込みを行う際には、戻り流路と往き流路の双方から浴槽に湯水が供給されるから、落とし込みに要する時間が短い。
即ち本発明の風呂装置を使用して浴槽に湯水を落とし込む場合は、給水管を利用して行う。
本発明の風呂装置では、給水管は、ドレン導入用分岐部と循環ポンプとの間に設けられた洗浄水導入用分岐部に接続されている。より詳細には、本発明の風呂装置では、給水管は、ドレン導入用分岐部と洗浄水排出用分岐部の間であって、且つ循環ポンプの上流側に設けられている。
そのため、主排水路切り換え手段と、ドレン路切り換え手段を通常の追い焚きを行う運転状態とし、主排水路及びドレン吐出路と追い焚き循環流路との間の流路を遮断すれば、給水管から供給される湯水が主排水路やドレン吐出路に流れ込むことはない。また主排水路切り換え手段及びドレン路切り換え手段は通常運転状態となっているから、追い焚き循環流路は、戻り流路と往き流路の双方が開かれている。そのため、本発明の風呂装置では、戻り流路と往き流路の双方から浴槽に湯水を供給することが可能であり、落とし込みに要する時間が短い。
【００１９】
請求項２に記載の発明は、ドレンタンク内のドレンが一定量以上となったことを条件として、ドレン排出運転が実行され、さらに引き続いて配管洗浄運転が実行されることを特徴とする請求項１に記載の風呂装置である。
またその後に、主排水路切り換え手段及びドレン路切り換え手段が通常の追い焚き運転を行う状態に切り換えられることが望ましい。
【００２０】
本発明の風呂装置では、ドレンの排水から配管洗浄に至る一連の動作が自動的に実行される。
【００２１】
請求項３に記載の発明は、洗浄水排出用分岐部が、循環ポンプと熱交換器の間に設けられていることを特徴とする請求項１又は２に記載の風呂装置である。
【００２２】
本発明の風呂装置では、洗浄水排出用分岐部が、循環ポンプと熱交換器の間に設けられている。そのためドレン排出運転の際にドレン水が熱交換器を通過しない。そのため配管を洗浄する場合に、熱交換器内を洗浄する必要がなく、洗浄水の消費量が少ない。
【発明の効果】
【００２３】
本発明の風呂装置は、風呂循環ポンプをドレンを排出する用途にも利用し、独自の排水用配管を利用してドレンを排水することが可能であり、且つ戻り流路と往き流路の双方から浴槽に湯水が供給することができるものであり、理想的な機能を備えている。
また本発明で採用する配管系統を採用すれば、特許文献１で必須であった電磁弁が不要である。
【図面の簡単な説明】
【００２４】
【図１】本発明の実施形態の風呂装置及び浴槽の概念図である。
【図２】本発明の実施形態の風呂装置の追い焚き部の作動原理図である。
【図３】図２の風呂装置において、追い焚き運転時の湯水の流れを示す作動原理図である。
【図４】図２の風呂装置において、落とし込み運転時の湯水の流れを示す作動原理図である。
【図５】図２の風呂装置において、ドレン排出運転時の湯水の流れを示す作動原理図である。
【図６】図２の風呂装置において、洗浄運転時の湯水の流れを示す作動原理図である。
【図７】特許文献１に開示された風呂装置の作動原理図である。
【発明を実施するための形態】
【００２５】
以下さらに本発明の実施形態について説明する。本実施形態の風呂装置１は、給湯機能と、追い焚き機能、及び湯水を落とし込む機能を備えたものであり、図１の様に、筐体２内に給湯部３と追い焚き部５とを備えている。また給湯部３と追い焚き部５との間は、給水配管６で接続されている。
風呂装置１には、入水口１０、出湯口１１、風呂往き口１２、風呂戻り口１３及び排水口１５が設けられている。
本実施形態の風呂装置１では、入水口１０から給湯部３に上水が導入され、給湯部３で昇温される。そして所定の温度の調整された湯水が出湯口１１から排出される。なお本実施形態の風呂装置１では、給湯部３から未加熱の上水をそのまま出湯口１１から排出させることもできる。
【００２６】
また風呂装置１は外部配管によって、浴槽１６及び浴室の排水パン１７に接続されている。
即ち本実施形態では、風呂装置１の風呂往き口１２と、浴槽１６とが外部側風呂往き配管２０によって接続されている。また風呂装置１の風呂戻り口１３と、浴槽１６が外部側風呂戻り配管２１によって接続されている。さらに、風呂装置１の排水口１５に排水外部配管２２が接続され、浴室の排水パン１７上に開口している。
【００２７】
風呂装置１の追い焚き部５は、図２の様に、内部に追い焚き循環流路３０が設けられている。また風呂装置１の追い焚き部５には、図示しないバーナが設けられている。またドレンを中和する中和器７と、中和後のドレンを溜め置くドレンタンク８が設けられている。
即ち追い焚き循環流路３０は、熱交換器２８を含む流路であり、風呂戻り口１３から熱交換器２８に至る内部側戻り流路３２と、熱交換器２８から風呂往き口１２に至る内部側往き流路３１によって構成されている。
本実施形態で採用する熱交換器２８は、主として燃焼ガスの顕熱を回収する一次熱交換器３３と、主として燃焼ガスの潜熱を回収する二次熱交換器３５によって構成されている。二次熱交換器３５は、燃焼ガス中に含まれる潜熱を奪うものであるから、二次熱交換器３５の表面で水蒸気が凝縮する。二次熱交換器３５の表面に生じたドレンは、図示しないドレンパンに集められ、図示しないドレン排水路を経由して中和器７に流れ込む。なお前記した給湯部３にも同様の二次熱交換器があり、給湯部３の二次熱交換器の表面に生じたドレンも、中和器７に流れ込む。
中和器７で中和されたドレンは、ドレンタンク８に溜め置かれる。
【００２８】
本実施形態では、内部側戻り流路３２は、風呂戻り口１３と二次熱交換器３５を接続する流路であり、その中途に循環ポンプ３６が設けられている。
また循環ポンプ３６の前後に三方弁４０、４１が設けられており、三方弁４０、４１によって追い焚き循環流路３０の内部側戻り流路３２に分岐部が設けられている。即ち三方弁４０の第１ポート６０が内部側戻り流路３２側に接続され、第２ポート６１が循環ポンプ３６の吸い込み側に接続されている。そして残る第３ポート６２がドレン導入用分岐部４５を形成している。即ち本実施形態では、循環ポンプ３６の上流側に設けられた三方弁４０による分岐部がドレン導入用分岐部４５を構成している。本実施形態では、三方弁４０が、ドレン路切り換え手段として機能する。
【００２９】
また循環ポンプ３６の下流側であって二次熱交換器３５に至るまでの間に設けられた三方弁４１による分岐部が洗浄水排出用分岐部４６を構成している。即ち三方弁４１の第１ポート６５が循環ポンプ３６の吐出側に接続され、第２ポート６６が熱交換器２８に接続されている。そして残る第３ポート６７が洗浄水排出用分岐部４６を構成している。本実施形態では、三方弁４１が、主排水路切り換え手段として機能する。
【００３０】
次に、追い焚き循環流路３０と接続されている配管について説明する。即ち風呂戻り口１３、循環ポンプ３６、二次熱交換器３５、一次熱交換器３３、風呂往き口１２を繋ぐ直列の流路を追い焚き循環流路３０の主流路とし、主流路から分岐した配管や主流路に接続されている配管について説明する。
本実施形態の風呂装置１では、前記したドレン導入用分岐部４５にドレン吐出路４８が接続されている。ドレン吐出路４８は、ドレンタンク８と、ドレン導入用分岐部４５たる三方弁４０の第３ポート６２とを接続するものである。本実施形態では、ドレン吐出路４８にドレン往き部逆止弁４７が設けられている。
ドレン往き部逆止弁４７は、ドレンタンク８からドレン導入用分岐部４５に向かう方向の流れを許容し、逆を阻止する方向に取り付けられている。
またドレン往き部逆止弁４７と、ドレン導入用分岐部４５（三方弁４０の第３ポート６２）との間がさらに分岐され、副排水路５０が設けられている。副排水路５０の末端は、排水口１５に接続されている。
副排水路５０には、排水部逆止弁５１が設けられている。
排水部逆止弁５１は、ドレン導入用分岐部４５から排水口１５に向かう水流を許容し、その逆を阻止する方向に取り付けられている。
【００３１】
また本実施形態の風呂装置１では、前記した洗浄水排出用分岐部４６に、主排水路５２が設けられている。主排水路５２の末端は、排水口１５に接続されている。
【００３２】
また追い焚き循環流路３０の一部であって、ドレン導入用分岐部４５と循環ポンプ３６の間に、洗浄水導入用分岐部４２が設けられていて前記した給水配管６が接続されている。給水配管６には、電磁弁５６が設けられている。
給水配管６は、給湯部３で作られた湯、又は給湯部３を経由して未加熱の冷水を供給するものであり、本実施形態では、配管内を洗浄するための洗浄水を供給する用途と、浴槽１６に落とし込む湯を追い焚き循環流路３０に導入する用途に使用される。即ち給水配管６は、配管内を洗浄するための洗浄水を給水する給水配管としての機能と、落とし込み配管としての機能を果たす。
【００３３】
次に、本実施形態の風呂装置１の機能について説明する。
本実施形態の風呂装置１は、追い焚き運転と、落とし込み運転、ドレン排出運転及び洗浄運転を実行することができる。以下、図面を参照しつつ説明する。
【００３４】
追い焚き運転は、公知のそれと同様に、浴槽１６内の湯を風呂装置１に導入し、風呂装置１で加熱して浴槽１６に送り、浴槽１６内の湯水の温度を昇温する運転である。
追い焚き運転における、三方弁４０，４１の開閉関係、及び湯水の流れは図３の通りである。
即ち追い焚き運転を実行する際には、三方弁（ドレン路切り換え手段）４０及び三方弁（主排水路切り換え手段）４１を、共に通常運転状態にする。より具体的には、追い焚き循環流路３０の主流路が連通するドレン導入用分岐部４５の三方弁４０、及び洗浄水排出用分岐部４６の三方弁４１を共に追い焚き循環流路３０の主流路が連通する方向に開く。即ちドレン導入用分岐部４５に設けられた三方弁４０は、第１ポート６０と、第２ポート６１を連通させ、ドレン吐出路４８に接続された第３ポート６２を閉じる。
また洗浄水排出用分岐部４６の三方弁４１は、第１ポート６５と、第２ポート６６を連通させ、主排水路５２が接続された第３ポート６７を閉じる。
【００３５】
そしてこの状態で、循環ポンプ３６を運転する。その結果、浴槽１６内の湯水が、外部側風呂戻り配管２１を経由して風呂装置１の追い焚き循環流路３０に導入され、追い焚き循環流路３０内の熱交換器２８で加熱されて風呂往き口１２から排出される。風呂往き口１２を出た湯水は、外部側風呂往き配管２０を経由して浴槽１６に送られる。
【００３６】
次に落とし込み運転について説明する。落とし込み運転を行う際の三方弁４０，４１の開閉関係、及び湯水の流れは図４の通りである。
即ち落とし込み運転を行う場合における三方弁４０，４１の開閉関係は、前記した追い焚き運転を実行する場合と同一であり、ドレン導入用分岐部４５の三方弁４０、及び洗浄水排出用分岐部４６の三方弁４１を共に追い焚き循環流路３０の主流路が連通する方向に開く。そして循環ポンプ３６を起動すると共に、給水配管６に設けられた電磁弁５６を開き、給湯部３で作られた適温の湯を追い焚き循環流路３０に供給する。
ここで、給水配管６は、ドレン導入用分岐部４５と循環ポンプ３６の間に設けられた洗浄水導入用分岐部４２に接続されている。
そしてドレン導入用分岐部４５に注目すると、前記した様にドレン導入用分岐部４５の三方弁４０は、第１ポート６０と、第２ポート６１を連通させ、ドレン吐出路４８に接続された第３ポート６２は閉じられている。そのため給水配管６から供給された湯水の一部は、ドレン導入用分岐部４５から風呂戻り口１３側に流れ、外部側風呂戻り配管２１を経由して浴槽１６に導入される。
なお、ドレン吐出路４８に接続された第３ポート６２が閉じられているから、湯水がドレンタンク８側に逆流することはない。
【００３７】
また本実施形態では、給水配管６から追い焚き循環流路３０に供給された湯水は、風呂往き口１２を経て外部側風呂往き配管２０側からも浴槽１６に送られる。
即ち本実施形態では、洗浄水排出用分岐部４６の三方弁４１が、追い焚き循環流路３０の主流路が連通する方向に開かれている。そのため給水配管６から追い焚き循環流路３０に供給された湯水の一部は、循環ポンプ３６に吸い込まれて熱交換器２８側にも流れ、風呂往き口１２から排出される。風呂往き口１２を出た湯水は、外部側風呂往き配管２０を経由して浴槽１６に送られる。
この様に、本実施形態の風呂装置１は、内部側戻り流路３２と内部側往き流路３１の双方を経由して湯水を落とし込むことができる。そのため、短時間で湯水の落とし込みを完了することができる。
【００３８】
次にドレン排出運転及び洗浄運転について説明する。ドレン排出運転及び洗浄運転は、一連の動作であり、自動的に実行される。
即ちドレンタンク８に一定量以上、ドレンが溜まり、且つ追い焚き運転や落とし込み運転がなされていないことを条件として、ドレン排出運転が自動的に開始される。そしてこれに続いて洗浄運転が自動的に実行される。
【００３９】
ドレン排出運転における、三方弁４０，４１の開閉関係、及び湯水の流れは図５の通りである。
即ちドレン排出運転を実行する際には、三方弁（ドレン路切り換え手段）４０をドレン導入状態に切り換え、三方弁４１（主排水路切り換え手段）を主排水路開放状態に切り換える。即ち三方弁４０，４１をいずれも、追い焚き循環流路３０の主流路を遮断し、分岐路側を開く方向に動作させる。
具体的には、ドレン導入用分岐部４５を構成する三方弁４０は、風呂戻り口１３側に接続されている第一ポート６０を閉じ、循環ポンプ３６側に接続された第二ポート６１とドレン吐出路４８に接続された第３ポート６２を連通させる。
また洗浄水排出用分岐部４６を構成する三方弁４１は、循環ポンプ３６側に接続された第一ポート６５と、主排水路５２が接続された第３ポート６７の間を連通させ、熱交換器２８側に接続された第二ポート６６を閉じる。
【００４０】
この状態で、循環ポンプ３６を起動する。なお給水配管６に設けられている電磁弁５６は、閉じておく。
その結果、ドレン吐出路４８を経由してドレンタンク８内のドレンが循環ポンプ３６に吸引される。
なおドレン吐出路４８に設けられたドレン往き部逆止弁４７は、ドレンの流れに対して順方向に接続されているから、レン往き部逆止弁４７は、ドレンの流れを阻害しない。
またドレン吐出路４８に副排水路５０が設けられているが、副排水路５０には、排水部逆止弁５１が設けられている。そして排水部逆止弁５１は、循環ポンプ３６側に流れる水流を阻害する方向に取り付けられているから、水が排水口１５側から循環ポンプ３６側に逆流することはない。
【００４１】
前記した様に、ドレンタンク８内のドレンが循環ポンプ３６に吸引され、循環ポンプ３６で加圧されて洗浄水排出用分岐部４６側に向かって流れる。
ここで、洗浄水排出用分岐部４６の三方弁４１は、前記した様に熱交換器２８側に接続された第二ポート６６が閉じられている。そのためドレンは、熱交換器２８側には流れない。また洗浄水排出用分岐部４６の三方弁４１は、循環ポンプ３６側に接続された第１ポート６５と、主排水路５２が接続された第３ポート６７の間が連通する様に開かれているから、循環ポンプ３６で加圧されたドレンは、三方弁４１の第３ポート６７から、主排水路５２側に流れ込む。
そしてドレンは、排水口１５から排出され、排水外部配管２２を通過して排水パン１７に排出される。
【００４２】
ドレンタンク８内のドレンが排出されると、自動的にドレン排出運転が終了し、自動的に洗浄運転が実行される。ここで、ドレンタンク８内のドレンが排出されたことの確認は、例えば図示しない水位センサーによってドレンタンク８内の実際の水位を監視することによって行う。あるいは、一定時間に渡って循環ポンプ３６を連続運転することによって、ドレンタンク８内のドレンが排出されたとみなし、自動的にドレン排出運転を終了させて洗浄運転に移行してもよい。
【００４３】
洗浄運転を行う際の三方弁４０，４１の開閉関係、及び湯水の流れは図６の通りである。
即ち洗浄運転における三方弁４０，４１の開閉関係は、先に実行されたドレン排出運転と同一である。具体的には、ドレン導入用分岐部４５の三方弁４０、及び洗浄水排出用分岐部４６の三方弁４１を共に追い焚き循環流路３０の主流路を遮断し、分岐路側が開かれている状態を維持させる。
【００４４】
そしてこの状態で、循環ポンプ３６を起動すると共に給水配管６に設けられている電磁弁５６を開く。
その結果、給水配管６から追い焚き循環流路３０に湯水が導入される。
そしてドレン導入用分岐部４５に注目すると、前記した様にドレン導入用分岐部４５の三方弁４０は、ドレン導入状態が維持されており、風呂戻り口１３側に接続されている第１ポート６０が閉じられ、循環ポンプ３６側に接続された第２ポート６１とドレン吐出路４８に接続された第３ポート６２が連通している。
【００４５】
そのため給水配管６から追い焚き循環流路３０に導入された湯水の一部は、三方弁４０の第３ポート６２から、ドレン吐出路４８側に流れる。ここで、ドレン吐出路４８を、ドレン導入用分岐部４５側から見ると、ドレンタンク８に至る主流路と、排水口１５に至る副排水路５０とに分かれている。
ここで、主流路及び副排水路５０にはいずれも逆止弁４７，５１が設けられているが、主流路に設けられたドレン往き部逆止弁４７は、ドレンタンク８側に向かう水流を遮断する方向に取り付けられており、副排水路５０に設けられた排水部逆止弁５１は、ドレン導入用分岐部４５から排水口１５側に向かう流れを許容する。
そのため、給水配管６から追い焚き循環流路３０に導入された湯水の一部は、三方弁４０を通過し、ドレン吐出路４８の一部から副排水路５０に入って排水口１５に至る。この間に、給水配管６の接続部分から三方弁４０に至る間の追い焚き循環流路３０が洗浄される。また三方弁４０の内部についても洗浄される。
【００４６】
一方、給水配管６から追い焚き循環流路３０に導入された湯水の残部は、循環ポンプ３６に吸引され、循環ポンプ３６で加圧されて洗浄水排出用分岐部４６側に向かって流れる。
ここで、洗浄水排出用分岐部４６の三方弁４１は、前記した様に熱交換器２８側に接続された第２ポート６６が閉じられている。そのため洗浄水は、熱交換器２８側には流れない。また洗浄水排出用分岐部４６の三方弁４１は、循環ポンプ３６側に接続された第１ポート６５と、主排水路５２が接続された第３ポート６７の間が連通する様に開かれているから、循環ポンプ３６で加圧された洗浄水は、三方弁４１の第３ポート６７から、主排水路５２側に流れ込む。
そして洗浄水は、排水口１５から排出され、排水外部配管２２を通過して排水パン１７に排出される。
この間に、給水配管６の接続部分から循環ポンプ３６及び三方弁４１に至る間の追い焚き循環流路３０が洗浄される。また三方弁４１の内部についても洗浄される。
【００４７】
この様に、本実施形態の風呂装置１は、循環ポンプ３６をドレンを排出する用途にも利用し、排水外部配管２２を利用してドレンを排水することが可能である。また本実施形態の風呂装置１は、戻り流路と往き流路の双方から浴槽１６に湯水を供給することができる。さらに本実施形態の風呂装置１は、特許文献１で必須であった電磁弁を持たないので製造コストが低く、メンテナンスの負担も軽い。
【００４８】
以上説明した実施形態では、洗浄水排出用分岐部４６及び三方弁４１を熱交換器２８の上流側に設けたが、これを熱交換器２８の下流側に設けてもよい。
【符号の説明】
【００４９】
１    風呂装置
３    給湯部
５    追い焚き部
６    給水配管
７    中和器
８    ドレンタンク
１２  風呂往き口
１３  風呂戻り口
１５  排水口
１６  浴槽
１７  排水パン
２８  熱交換器
３０  追い焚き循環流路
３１  内部側往き流路
３２  内部側戻り流路
３３  一次熱交換器
３５  二次熱交換器
３６  循環ポンプ
４０  三方弁（ドレン路切り換え手段）
４１  三方弁（主排水路切り換え手段）
４２  洗浄水導入用分岐部
４５  ドレン導入用分岐部
４６  洗浄水排出用分岐部
４７  ドレン往き部逆止弁
４８  ドレン吐出路
５１  排水部逆止弁
５２  主排水路
５６  電磁弁
【図１】
2015021707.tif 000003
【図２】
2015021707.tif 000004
【図３】
2015021707.tif 000005
【図４】
2015021707.tif 000006
【図５】
2015021707.tif 000007
【図６】
2015021707.tif 000008
【図７】
2015021707.tif 000009